(57)【要約】  本発明は、チャネル状態情報のフィードバック及びその制御方法及び装置を開示した。前記方法は、ＵＥは基地局からトリガーシグナリングを受信するステップであって、前記リガーシグナリングは、所定の測定ウィンドウにおいて取得したＣＳＩを報告するように、ＵＥに指示する前記受信ステップと、ＵＥは、自分が所定の測定ウィンドウにおいて測定し得たＣＳＩを基地局に報告するステップとを備える。ＵＥが自分で所定の測定ウィンドウにおいて測定し得たＣＳＩのみを報告するため、ＵＥによるＣＳＩフィードバックの頻度が低減され、ＣＳＩフィードバックのオーバーヘッドも減少された。
2018522488.tif 000002
【特許請求の範囲】
【請求項１】
ＵＥは基地局からトリガーシグナリングを受信するステップであって、前記トリガーシグナリングは、所定の測定ウィンドウにおいて得られたチャネル状態情報（ＣＳＩ）を報告するように前記ＵＥに指示するためのものである前記受信するステップと、
前記ＵＥは、自分が前記測定ウィンドウにおいて測定し得たＣＳＩを、前記基地局に報告するステップとを備えることを特徴とするチャネル状態情報のフィードバック方法。
【請求項２】
測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報であることを特徴とする請求項１に記載のチャネル状態情報のフィードバック方法。
【請求項３】
前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数であることを特徴とする請求項２に記載のチャネル状態情報のフィードバック方法。
【請求項４】
前記測定ウィンドウに含まれる連続のサブフレームの数はＮより小さいか等しい値であり、前記Ｎは、前記ＵＥが前記トリガーシグナリングを受信したサブフレームと前記ＵＥがＣＳＩを報告したサブフレームの間に含まれる連続のサブフレームの数であることを特徴とする請求項３に記載のチャネル状態情報のフィードバック方法。
【請求項５】
前記ＵＥが前記測定ウィンドウにおいて測定し得たＣＳＩを前記基地局に報告するステップは、
前記ＵＥは、前記トリガーシグナリングを受信してＭ個のサブフレームが経過した後、第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数であることを特徴とする請求項１ないし請求項４のいずれかに記載のチャネル状態情報のフィードバック方法。
【請求項６】
前記ＵＥは、前記トリガーシグナリングを受信してＭ個のサブフレームが経過した後、一番近い物理アップリンク制御チャネル（ＰＵＣＣＨ）リソースを介し、前記第１測定ウィンドウにおいて測定し得たＣＳＩを前記基地局に報告し、
または、
前記ＵＥは、前記トリガーシグナリングを受信した後からの第Ｍ番目のサブフレームにおいて、物理アップリンク共有チャネルＰＵＳＣＨリソースを介し、前記第１測定ウィンドウにおいて測定し得たＣＳＩを前記基地局に報告することを特徴とする請求項５に記載のチャネル状態情報のフィードバック方法。
【請求項７】
前記ＵＥが自分が前記測定ウィンドウにおいて測定し得たＣＳＩを、前記基地局に報告するステップは、
前記ＵＥは、第２測定ウィンドウが終了しかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、
前記ＵＥは、前記トリガーシグナリングを受信してＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であることを特徴とする請求項１ないし請求項４のいずれかに記載のチャネル状態情報のフィードバック方法。
【請求項８】
前記ＵＥは、前記第２測定ウィンドウが終了しかつＭ個のサブフレームが経過した後、一番近いＰＵＣＣＨリソースを介し、自分が前記第２測定ウィンドウにおいて測定し得たＣＳＩを前記基地局に報告し、または、
前記ＵＥは、前記第２測定ウィンドウが終了後からの第Ｍ番目のサブフレームにおいて、ＰＵＳＣＨリソースを介し、自分が前記第２測定ウィンドウにおいて測定し得たＣＳＩを前記基地局に報告し、または、
前記ＵＥは、前記トリガーシグナリングを受信してＭ個のサブフレームが経過した後、一番近いＰＵＣＣＨリソースを介し、自分が前記第２測定ウィンドウにおいて測定し得たＣＳＩを前記基地局に報告し、または、
前記ＵＥは、前記トリガーシグナリングを受信した後からの第Ｍ番目のサブフレームにおいて、ＰＵＳＣＨリソースを介し、自分が前記第２測定ウィンドウにおいて測定し得たＣＳＩを前記基地局に報告することを特徴とする請求項７に記載のチャネル状態情報のフィードバック方法。
【請求項９】
前記トリガーシグナリングには、ＵＥのＣＳＩ測定に対応するダウンリンクリファレンス信号の構成情報が含まれるか、または、ＣＳＩ測定に対応するダウンリンクリファレンス信号の構成情報の集合の指示情報が含まれることを特徴とする請求項１に記載のチャネル状態情報のフィードバック方法。
【請求項１０】
基地局は、ＵＥに所定の測定ウィンドウにおいて得られたチャネル状態情報（ＣＳＩ）を報告させるように、前記ＵＥにトリガーシグナリングを送信し、
前記基地局は、前記ＵＥが報告した、前記測定ウィンドウにおいて測定し得たＣＳＩを受信することを特徴とするチャネル状態情報のフィードバック制御方法。
【請求項１１】
測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報であることを特徴とする請求項１０に記載のチャネル状態情報のフィードバック制御方法。
【請求項１２】
前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数であることを特徴とする請求項１１に記載のチャネル状態情報のフィードバック制御方法。
【請求項１３】
前記測定ウィンドウに含まれる連続のサブフレームの数はＮより小さいか等しい値であり、前記Ｎは、前記基地局が前記トリガーシグナリングを送信するサブフレームと前記基地局が前記ＵＥにより報告されたＣＳＩを受信したサブフレームの間に含まれる連続のサブフレームの数であることを特徴とする請求項１２に記載のチャネル状態情報のフィードバック制御方法。
【請求項１４】
前記基地局が前記ＵＥが報告した、前記測定ウィンドウにおいて測定し得たＣＳＩを受信するステップは、
前記基地局は、前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数であることを特徴とする請求項１０ないし請求項１３のいずれかに記載のチャネル状態情報のフィードバック制御方法。
【請求項１５】
前記基地局は、前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信し、または、
前記基地局は、前記トリガーシグナリングを送信した後からの第Ｍ番目のサブフレームにおいて、ＰＵＳＣＨリソースを介し、前記ＵＥにより報告された、前記第１測定ウィンドウにおいて測定し得たＣＳＩを受信することを特徴とする請求項１４に記載のチャネル状態情報のフィードバック制御方法。
【請求項１６】
前記基地局が前記ＵＥが報告した、前記測定ウィンドウにおいて測定し得たＣＳＩを受信するステップは、
前記基地局は、第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であるか、
または、
前記基地局は、前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であることを特徴とする請求項１０ないし請求項１３のいずれかに記載のチャネル状態情報のフィードバック制御方法。
【請求項１７】
前記基地局は、前記第２測定ウィンドウが終了してかつＭ個のサブフレームが経過した後、一番近いＰＵＣＣＨリソースを介し、前記ＵＥにより報告された、前記第２測定ウィンドウにおいて測定し得たＣＳＩを受信し、または、
前記基地局は、前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信し、または、
前記基地局は、前記トリガーシグナリングを送信してかつＭ個のサブフレームが経過した後、一番近いＰＵＣＣＨリソースを介し、前記ＵＥにより報告された、前記第２測定ウィンドウにおいて測定し得たＣＳＩを受信し、または、
前記基地局は、前記トリガーシグナリングを送信した後からの第Ｍ番目のサブフレームにおいて、ＰＵＳＣＨリソースを介し、前記ＵＥにより報告された、前記第２測定ウィンドウにおいて測定し得たＣＳＩを受信することを特徴とする請求項１６に記載のチャネル状態情報のフィードバック制御方法。
【請求項１８】
前記トリガーシグナリングには、ＵＥのＣＳＩ測定に対応するダウンリンクリファレンス信号の構成情報が含まれるか、または、ＣＳＩ測定に対応するダウンリンクリファレンス信号の構成情報の集合の指示情報が含まれることを特徴とする請求項１０に記載のチャネル状態情報のフィードバック制御方法。
【請求項１９】
基地局からトリガーシグナリングを受信する受信モジュールであって、前記トリガーシグナリングは、所定の測定ウィンドウにおいて得られたチャネル状態情報（ＣＳＩ）を報告するように、装置に指示するためのものである前記受信モジュールと、
自分が前記測定ウィンドウにおいて測定し得たＣＳＩを前記基地局に送信する処理モジュールとを備えることを特徴とするチャネル状態情報のフィードバック装置。
【請求項２０】
前記処理モジュールは、前記受信モジュールが前記トリガーシグナリングを受信してかつＭ個のサブフレームが経過した後、自分が第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数であることを特徴とする請求項１９に記載のチャネル状態情報のフィードバック装置。
【請求項２１】
前記処理モジュールは、前記受信モジュールが前記トリガーシグナリングを受信してかつＭ個のサブフレームが経過した後、一番近いＰＵＣＣＨリソースを介し、自分が前記第１測定ウィンドウにおいて測定し得たＣＳＩを前記基地局に報告し、または、前記受信モジュールが前記トリガーシグナリングを受信した後からの第Ｍ番目のサブフレームにおいて、ＰＵＳＣＨリソースを介し、自分が前記第１測定ウィンドウにおいて測定し得たＣＳＩを前記基地局に報告することを特徴とする請求項２０に記載のチャネル状態情報のフィードバック装置。
【請求項２２】
前記処理モジュールは、
第２測定ウィンドウが終了してかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、
前記受信モジュールが前記トリガーシグナリングを受信してかつＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であることを特徴とする請求項１９に記載のチャネル状態情報のフィードバック装置。
【請求項２３】
前記処理モジュールは、
前記第２測定ウィンドウが終了してＭ個のサブフレームが経過した後、一番近いＰＵＣＣＨリソースを介し、自分が前記第２測定ウィンドウにおいて測定し得たＣＳＩを前記基地局に報告し、または、
前記第２測定ウィンドウが終了後からの第Ｍ番目のサブフレームにおいて、ＰＵＳＣＨリソースを介し、自分が前記第２測定ウィンドウにおいて測定し得たＣＳＩを前記基地局に報告し、または、
前記受信モジュールが前記トリガーシグナリングを受信してかつＭ個のサブフレームが経過した後、一番近いＰＵＣＣＨリソースを介し、自分が前記第２測定ウィンドウにおいて測定し得たＣＳＩを前記基地局に報告し、または、
前記受信モジュールが前記トリガーシグナリングを受信した後からの第Ｍ番目のサブフレームにおいて、ＰＵＳＣＨリソースを介し、自分が前記第２測定ウィンドウにおいて測定し得たＣＳＩを前記基地局に報告することを特徴とする請求項２２に記載のチャネル状態情報のフィードバック装置。
【請求項２４】
ＵＥに、所定の測定ウィンドウにおいて得られたチャネル状態情報（ＣＳＩ）を報告させるように、ＵＥにトリガーシグナリングを送信する送信モジュールと、
前記ＵＥにより報告された、前記測定ウィンドウにおいて測定し得たＣＳＩを受信する受信モジュールとを備えることを特徴とするチャネル状態情報のフィードバック制御装置。
【請求項２５】
前記受信モジュールは、
前記送信モジュールが前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数であることを特徴とする請求項２４に記載のチャネル状態情報のフィードバック制御装置。
【請求項２６】
前記受信モジュールは、
前記送信モジュールが前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信し、
または、
前記送信モジュールが前記トリガーシグナリングを送信して第Ｍ番目のサブフレームにおいて、ＰＵＳＣＨリソースを介し、前記ＵＥにより報告された、前記第１測定ウィンドウにおいて測定し得たＣＳＩを受信することを特徴とする請求項２５に記載のチャネル状態情報のフィードバック制御装置。
【請求項２７】
前記受信モジュールは、
第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であるか、または、
前記送信モジュールが前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であることを特徴とする請求項２４に記載のチャネル状態情報のフィードバック制御装置。
【請求項２８】
前記受信モジュールは、
前記第２測定ウィンドウが終了してＭ個のサブフレームが経過した後、一番近いＰＵＣＣＨリソースを介し、前記ＵＥにより報告された、前記第２測定ウィンドウにおいて測定し得たＣＳＩを受信し、または、
前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信し、または、
前記送信モジュールが前記トリガーシグナリングを送信してかつＭ個のサブフレームが経過した後、一番近いＰＵＣＣＨリソースを介し、前記ＵＥにより報告された、前記第２測定ウィンドウにおいて測定し得たＣＳＩを受信し、または、
前記送信モジュールが前記トリガーシグナリングを送信して第Ｍ番目のサブフレームにおいて、ＰＵＳＣＨリソースを介し、前記ＵＥにより報告された、前記第２測定ウィンドウにおいて測定し得たＣＳＩを受信することを特徴とする請求項２７に記載のチャネル状態情報のフィードバック制御装置。
【発明の詳細な説明】
【技術分野】
【０００１】
本発明は通信技術分野に関し、特に、チャネル状態情報のフィードバック及びその制御方法及び装置に関する。
【背景技術】
【０００２】
従来のセルラーシステムには、基地局のアンテナアレーは、図１Ａ及び図１Ｂに示すように、一般的に水平状に配列されている。基地局における送信端のビームは、水平方向上のみで調整することができる。図２Ａ及び図２Ｂに示すように、アンテナ技術の発展と伴い、業界に、アンテナアレー・エレメントごとに独立に制御できるアクティブアンテナがすでに現してきた。このようなアンテナアレーを利用することにより、垂直方向のビームの動的な調整が可能になった。
【０００３】
このような３次元アンテナアレーの場合、基地局が送信した信号は、ＵＥ（Ｕｓｅｒ Ｅｑｕｉｐｍｅｎｔ）において、水平方向上のフォーミングの以外、垂直方向上のフォーミングも可能となった。２次元においてフォーミングされた後のチャネル状態情報を取得するため、基地局は、一般的に、チャネル状態情報リファレンス信号（Ｃｈａｎｎｅｌ State Ｉｎｆｏｒｍａｔｉｏｎ Ｒｅｆｅｒｅｎｃｅ Ｓｉｇｎａｌｓ、ＣＳＩ-ＲＳ）に対し、垂直次元上のフォーミング（図３に示す）を行うことにより、ＵＥが、垂直次元上のフォーミングされた後のＣＳＩ-ＲＳに基づいて、チャネル状態情報（ＣＳＩ）をフィードバックすることができるようになった。こうして、基地局は、ＣＳＩ-ＲＳに用いられた垂直次元のフォーミングベクトル及びＵＥからフィードバックされたＣＳＩに基づいて、データを、垂直及び水平との２次元において、プリコーディングするとともに、リンクへ適応（Ｌｉｎｋ Ａｄａｐｔｉｏｎ）することができるようになる。
【０００４】
ＦＤ ＭＩＭＯ（Ｆｕｌｌ Ｄｉｍｅｎｓｉｏｎ Ｍｕｌｔｉｐｌｅ Ｉｎｐｕｔ Ｍｕｌｔｉｐｌｅ Ｏｕｔｐｕｔ、ＦＤ ＭＩＭＯ）システムにおいて、１セルに複数のＣＳＩ-ＲＳリソースが割り当てる可能性があり、異なるリソースは、異なる垂直次元のフォーミングベクトルを利用する。従来のＣＳＩ-ＲＳ伝送は周期的に行われるため、ＵＥは、周期ごとにＣＳＩＲＳを測定する必要があり、周期的なＣＳＩのフィードバックの場合、ＵＥは周期的にＣＳＩを報告しなければならない。よって、フィードバック頻度が高く、フィードバックオーバーヘッドも大きくで、スペクトラムの効率に影響を与える。
【発明の概要】
【発明が解決しようとする課題】
【０００５】
本発明に係る実施例は、チャネル状態情報のフィードバック及びその制御方法及び装置を提供して、フィードバック頻度が高い、フィードバックオーバーヘッドが大きくて、スペクトラム効率に影響を与える従来の問題点を解決できる。
【課題を解決するための手段】
【０００６】
本発明に係る実施例が提供するチャネル状態情報のフィードバック方法は、
ＵＥ（ｕｓｅｒ ｅｑｕｉｐｍｅｎｔ）は基地局からトリガーシグナリングを受信するステップであって、前記トリガーシグナリングは、所定の測定ウィンドウにおいて得られたチャネル状態情報（ＣＳＩ）を報告するように前記ＵＥに指示するためのものである前記受信ステップと、
前記ＵＥは、自分が前記測定ウィンドウにおいて測定し得たＣＳＩを、前記基地局に報告するステップとを備える。
【０００７】
好ましくは、前記測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【０００８】
好ましくは、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【０００９】
好ましくは、前記測定ウィンドウに含まれる連続のサブフレームの数はＮより小さいか等しい値であり、前記Ｎは、前記ＵＥが前記トリガーシグナリングを受信したサブフレームと前記ＵＥがＣＳＩを報告したサブフレームの間に含まれる連続のサブフレームの数である。
【００１０】
上述のいずれかの実施例に基づき、好ましい実施態様として、前記ＵＥが前記測定ウィンドウにおいて測定し得たＣＳＩを前記基地局に報告するステップは、
前記ＵＥは、前記トリガーシグナリングを受信してＭ個のサブフレームが経過した後、第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数である。
【００１１】
好ましくは、前記ＵＥは、前記トリガーシグナリングを受信してＭ個のサブフレームが経過した後、一番近い物理アップリンク制御チャネル（ＰＵＣＣＨ）リソースを介し、前記第１測定ウィンドウにおいて測定し得たＣＳＩを前記基地局に報告し、
または、前記ＵＥは、前記トリガーシグナリングを受信した後からの第Ｍ番目のサブフレームにおいて、物理アップリンク共有チャネルＰＵＳＣＨリソースを介し、前記第１測定ウィンドウにおいて測定し得たＣＳＩを前記基地局に報告する。
【００１２】
他の好ましい実施態様として、前記ＵＥが自分が前記測定ウィンドウにおいて測定し得たＣＳＩを、前記基地局に報告するステップは、
前記ＵＥは、第２測定ウィンドウが終了しかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、前記ＵＥは、前記トリガーシグナリングを受信してＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【００１３】
好ましくは、前記ＵＥは、前記第２測定ウィンドウが終了しかつＭ個のサブフレームが経過した後、一番近いＰＵＣＣＨリソースを介し、自分が前記第２測定ウィンドウにおいて測定し得たＣＳＩを前記基地局に報告し、
または、前記ＵＥは、前記第２測定ウィンドウが終了後からの第Ｍ番目のサブフレームにおいて、ＰＵＳＣＨリソースを介し、自分が前記第２測定ウィンドウにおいて測定し得たＣＳＩを前記基地局に報告し、
または、前記ＵＥは、前記トリガーシグナリングを受信してＭ個のサブフレームが経過した後、一番近いＰＵＣＣＨリソースを介し、自分が前記第２測定ウィンドウにおいて測定し得たＣＳＩを前記基地局に報告し、
または、前記ＵＥは、前記トリガーシグナリングを受信した後からの第Ｍ番目のサブフレームにおいて、ＰＵＳＣＨリソースを介し、自分が前記第２測定ウィンドウにおいて測定し得たＣＳＩを前記基地局に報告する。
【００１４】
上述のいずれかの実施例に基づき、前記トリガーシグナリングには、ＵＥのＣＳＩ測定に対応するダウンリンクリファレンス信号の構成情報が含まれるか、または、ＣＳＩ測定に対応するダウンリンクリファレンス信号の構成情報の集合の指示情報が含まれる。
【００１５】
本発明に係る実施例が提供するチャネル状態情報のフィードバック制御方法は、
基地局は、前記ＵＥに所定の測定ウィンドウにおいて得られたチャネル状態情報（ＣＳＩ）を報告させるように、ＵＥにトリガーシグナリングを送信するステップと、
前記基地局は、前記ＵＥが報告した、前記測定ウィンドウにおいて測定し得たＣＳＩを受信するステップとを備える。
【００１６】
好ましくは、前記測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００１７】
好ましくは、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００１８】
好ましくは、前記測定ウィンドウに含まれる連続のサブフレームの数はＮより小さいか等しい値であり、前記Ｎは、前記基地局が前記トリガーシグナリングを送信するサブフレームと前記基地局が前記ＵＥにより報告されたＣＳＩを受信したサブフレームの間に含まれる連続のサブフレームの数である。
【００１９】
上述のいずれかの実施例に基づき、好ましい実施態様として、前記基地局が前記ＵＥが報告した、前記測定ウィンドウにおいて測定し得たＣＳＩを受信するステップは、
前記基地局は、前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数である。
【００２０】
好ましくは、前記基地局は、前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信し、
または、前記基地局は、前記トリガーシグナリングを送信した後からの第Ｍ番目のサブフレームにおいて、ＰＵＳＣＨリソースを介し、前記ＵＥにより報告された、前記第１測定ウィンドウにおいて測定し得たＣＳＩを受信する。
【００２１】
他の好ましい実施態様として、前記基地局が前記ＵＥが報告した、前記測定ウィンドウにおいて測定し得たＣＳＩを受信するステップは、
前記基地局は、第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であり、
または、前記基地局は、前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【００２２】
好ましくは、前記基地局は、前記第２測定ウィンドウが終了してかつＭ個のサブフレームが経過した後、一番近いＰＵＣＣＨリソースを介し、前記ＵＥにより報告された、前記第２測定ウィンドウにおいて測定し得たＣＳＩを受信し、または、
前記基地局は、前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信し、または、
前記基地局は、前記トリガーシグナリングを送信してかつＭ個のサブフレームが経過した後、一番近いＰＵＣＣＨリソースを介し、前記ＵＥにより報告された、前記第２測定ウィンドウにおいて測定し得たＣＳＩを受信し、または、
前記基地局は、前記トリガーシグナリングを送信した後からの第Ｍ番目のサブフレームにおいて、ＰＵＳＣＨリソースを介し、前記ＵＥにより報告された、前記第２測定ウィンドウにおいて測定し得たＣＳＩを受信する。
【００２３】
上述のいずれかの実施例に基づき、前記トリガーシグナリングには、ＵＥのＣＳＩ測定に対応するダウンリンクリファレンス信号の構成情報が含まれるか、または、ＣＳＩ測定に対応するダウンリンクリファレンス信号の構成情報の集合の指示情報が含まれる。
【００２４】
本発明に係る実施例が提供するチャネル状態情報のフィードバック装置は、
基地局からトリガーシグナリングを受信する受信モジュールであって、前記トリガーシグナリングは、所定の測定ウィンドウにおいて得られたチャネル状態情報（ＣＳＩ）を報告するように、前記装置に指示するためのものである前記受信モジュールと、
自分が前記測定ウィンドウにおいて測定し得たＣＳＩを前記基地局に送信する処理モジュールとを備える。
【００２５】
好ましくは、前記測定ウィンドウ長は予めに約定されたものであるか、または、
前記測定ウィンドウ長は、前記基地局が高位層シグナリングにより前記装置に通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００２６】
好ましくは、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００２７】
好ましくは、前記測定ウィンドウに含まれる連続のサブフレームの数はＮより小さいか等しい値であり、前記Ｎは、前記トリガーシグナリングを受信したサブフレームとＣＳＩを報告するサブフレームの間に含まれる連続のサブフレームの数である。
【００２８】
上述のいずれかの実施例に基づき、好ましい実施態様として、前記処理モジュールは、前記受信モジュールが前記トリガーシグナリングを受信してかつＭ個のサブフレームが経過した後、自分が第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数である。
【００２９】
好ましくは、前記処理モジュールは、前記受信モジュールが前記トリガーシグナリングを受信してかつＭ個のサブフレームが経過した後、一番近いＰＵＣＣＨリソースを介し、自分が前記第１測定ウィンドウにおいて測定し得たＣＳＩを前記基地局に報告し、または、前記受信モジュールが前記トリガーシグナリングを受信した後からの第Ｍ番目のサブフレームにおいて、ＰＵＳＣＨリソースを介し、自分が前記第１測定ウィンドウにおいて測定し得たＣＳＩを前記基地局に報告する。
【００３０】
他の好ましい実施態様として、前記処理モジュールは、
第２測定ウィンドウが終了してかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、前記受信モジュールが前記トリガーシグナリングを受信してかつＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【００３１】
好ましくは、前記処理モジュールは、
前記第２測定ウィンドウが終了してＭ個のサブフレームが経過した後、一番近いＰＵＣＣＨリソースを介し、自分が前記第２測定ウィンドウにおいて測定し得たＣＳＩを前記基地局に報告し、または、
前記第２測定ウィンドウが終了後からの第Ｍ番目のサブフレームにおいて、ＰＵＳＣＨリソースを介し、自分が前記第２測定ウィンドウにおいて測定し得たＣＳＩを前記基地局に報告し、または、
前記受信モジュールが前記トリガーシグナリングを受信してかつＭ個のサブフレームが経過した後、一番近いＰＵＣＣＨリソースを介し、自分が前記第２測定ウィンドウにおいて測定し得たＣＳＩを前記基地局に報告し、または、
前記受信モジュールが前記トリガーシグナリングを受信した後からの第Ｍ番目のサブフレームにおいて、ＰＵＳＣＨリソースを介し、自分が前記第２測定ウィンドウにおいて測定し得たＣＳＩを前記基地局に報告する。
【００３２】
本発明に係る実施例が提供するチャネル状態情報のフィードバック制御装置は、
前記ＵＥに、所定の測定ウィンドウにおいて得られたチャネル状態情報（ＣＳＩ）を報告させるように、ＵＥにトリガーシグナリングを送信する送信モジュールと、
前記ＵＥにより報告された、前記測定ウィンドウにおいて測定し得たＣＳＩを受信する受信モジュールとを備える。
【００３３】
好ましくは、前記測定ウィンドウ長は予めに約定されたものであるか、または、
前記測定ウィンドウ長は、前記装置によりが高位層シグナリングにより前記ＵＥに通知されたものであり、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００３４】
好ましくは、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００３５】
好ましくは、前記測定ウィンドウに含まれる連続のサブフレームの数はＮより小さいか等しい値であり、前記Ｎは、前記トリガーシグナリングを送信するサブフレームと前記ＵＥにより報告されたＣＳＩを受信するサブフレームの間に含まれる連続のサブフレームの数である。
【００３６】
上述のいずれかの実施例に基づき、好ましい実施態様として、前記受信モジュールは、前記送信モジュールが前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数である。
【００３７】
好ましくは、前記受信モジュールは、前記送信モジュールが前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信し、
または、前記送信モジュールが前記トリガーシグナリングを送信して第Ｍ番目のサブフレームにおいて、ＰＵＳＣＨリソースを介し、前記ＵＥにより報告された、前記第１測定ウィンドウにおいて測定し得たＣＳＩを受信する。
【００３８】
他の好ましい実施態様として、前記受信モジュールは、
第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である、または、
前記送信モジュールが前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【００３９】
好ましくは、前記受信モジュールは、前記第２測定ウィンドウが終了してＭ個のサブフレームが経過した後、一番近いＰＵＣＣＨリソースを介し、前記ＵＥにより報告された、前記第２測定ウィンドウにおいて測定し得たＣＳＩを受信し、または、
前記第２測定ウィンドウが終了した後からの第Ｍ番目のサブフレームにおいてＰＵＳＣＨリソースを介し、前記ＵＥにより報告された、前記第２測定ウィンドウにおいて測定し得たＣＳＩを受信し、または、
前記送信モジュールが前記トリガーシグナリングを送信してかつＭ個のサブフレームが経過した後、一番近いＰＵＣＣＨリソースを介し、前記ＵＥにより報告された、前記第２測定ウィンドウにおいて測定し得たＣＳＩを受信し、または、
前記送信モジュールが前記トリガーシグナリングを送信して第Ｍ番目のサブフレームにおいて、ＰＵＳＣＨリソースを介し、前記ＵＥにより報告された、前記第２測定ウィンドウにおいて測定し得たＣＳＩを受信する。
【００４０】
本発明に係る実施例が提供するＵＥは、受信機と、送信機と、前記受信機と前記送信機のうちの少なくとも１つに接続するプロセッサとを備え、 
前記受信機は、基地局からトリガーシグナリングを受信し、前記トリガーシグナリングは、所定の測定ウィンドウにおいて得られたチャネル状態情報（ＣＳＩ）を報告するように前記ＵＥに指示するためのものであり、
前記プロセッサは、メモリに格納されたプログラムを読み出して、前記プロセッサが前記測定ウィンドウにおいて測定し得たＣＳＩを前記基地局に報告するように、前記送信機をトリガーする。
【００４１】
好ましくは、前記測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００４２】
好ましくは、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００４３】
好ましくは、前記測定ウィンドウに含まれる連続のサブフレームの数はＮより小さいか等しい値であり、前記Ｎは、前記トリガーシグナリングを受信したサブフレームとＣＳＩを報告するサブフレームの間に含まれる連続のサブフレームの数である。
【００４４】
上述のいずれかの実施例に基づき、好ましい実施態様として、前記プロセッサは、
前記受信機がトリガーシグナリングを受信してＭ個のサブフレームが経過した後、前記プロセッサが第１測定ウィンドウにおいて測定し得たＣＳＩを前記基地局に報告するように、送信機をトリガーし、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数である。
【００４５】
好ましくは、前記プロセッサは、
前記受信機がトリガーシグナリングを受信してＭ個のサブフレームが経過した後、一番近いＰＵＣＣＨリソースを介し、前記プロセッサが前記第１測定ウィンドウにおいて測定し得たＣＳＩを前記基地局に報告するように、送信機をトリガーし、または、前記受信機が前記トリガーシグナリングを受信した後のＭ番目のサブフレームにおいて、ＰＵＳＣＨリソースを介し、前記プロセッサが前記第１測定ウィンドウにおいて測定し得たＣＳＩを前記基地局に報告するように、送信機をトリガーする。
【００４６】
他の好ましい実施態様として、前記プロセッサは、
第２測定ウィンドウが終了してかつＭ個のサブフレームが経過した後、前記プロセッサが前記第２測定ウィンドウにおいて測定し得たＣＳＩを前記基地局に報告するように、送信機をトリガーし、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、前記受信機がトリガーシグナリングを受信してＭ個のサブフレームが経過した後、前記プロセッサが第２測定ウィンドウにおいて測定し得たＣＳＩを前記基地局に報告するように、送信機をトリガーし、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【００４７】
好ましくは、前記プロセッサは、
前記第２測定ウィンドウが終了してＭ個のサブフレームが経過した後、一番近いＰＵＣＣＨリソースを介し、前記プロセッサが前記第２測定ウィンドウにおいて測定し得たＣＳＩを前記基地局に報告するように、送信機をトリガーし、または、
前記第２測定ウィンドウが終了後からの第Ｍ番目のサブフレームにおいて、ＰＵＳＣＨリソースを介し、前記プロセッサが前記第２測定ウィンドウにおいて測定し得たＣＳＩを前記基地局に報告するように、送信機をトリガーし、または、
前記受信機がトリガーシグナリングを受信してＭ個のサブフレームが経過した後、一番近いＰＵＣＣＨリソースを介し、前記プロセッサが前記第２測定ウィンドウにおいて測定し得たＣＳＩを前記基地局に報告するように、送信機をトリガーし、または、
前記受信機が前記トリガーシグナリングを受信した後からの第Ｍ番目のサブフレームにおいて、ＰＵＳＣＨリソースを介し、前記プロセッサが前記第２測定ウィンドウにおいて測定し得たＣＳＩを前記基地局に報告するように、送信機をトリガーする。
【００４８】
本発明に係る実施例が提供する基地局は、受信機と、送信機と、前記受信機が前記トリガーシグナリングを受信した後からの第Ｍ番目のサブ前記受信機と前記送信機のうちの少なくとも１つに接続するプロセッサとを備え、
前記プロセッサは、メモリに格納されたプログラムを読み出して、前記ＵＥが所定の測定ウィンドウにおいて得られたチャネル状態情報（ＣＳＩ）を報告させるために、ＵＥにトリガーシグナリングを送信するように、送信機をトリガーし、
前記受信機は、前記ＵＥにより報告された、前記測定ウィンドウにおいて測定し得たＣＳＩを受信する。
【００４９】
好ましくは、前記測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００５０】
好ましくは、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００５１】
好ましくは、前記測定ウィンドウに含まれる連続のサブフレームの数はＮより小さいか等しい値であり、前記Ｎは、前記トリガーシグナリングを送信するサブフレームと前記ＵＥにより報告されたＣＳＩを受信するサブフレームの間に含まれる連続のサブフレームの数である。
【００５２】
上述のいずれかの実施例に基づき、好ましい実施態様として、前記受信機は、
前記送信機が前記トリガーシグナリングを送信して、かつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数である。
【００５３】
好ましくは、前記受信機は、
前記送信機が前記トリガーシグナリングを送信して、かつＭ個のサブフレームが経過した後、一番近いＰＵＣＣＨリソースを介し、前記ＵＥにより報告された、前記第１測定ウィンドウにおいて測定し得たＣＳＩを受信し、
または、前記送信機が前記トリガーシグナリングを送信した後からの第Ｍ番目のサブフレームにおいて、ＰＵＳＣＨリソースを介し、前記ＵＥにより報告された、前記第１測定ウィンドウにおいて測定し得たＣＳＩを受信する。
【００５４】
他の好ましい実施態様として、前記受信機は、
第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であり、または、
前記送信機が前記トリガーシグナリングを送信して、かつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【００５５】
好ましくは、前記受信機は、
前記第２測定ウィンドウが終了してＭ個のサブフレームが経過した後、一番近いＰＵＣＣＨリソースを介し、前記ＵＥにより報告された、前記第２測定ウィンドウにおいて測定し得たＣＳＩを受信し、または、
前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信し、または、
前記送信機が前記トリガーシグナリングを送信して、かつＭ個のサブフレームが経過した後、一番近いＰＵＣＣＨリソースを介し、前記ＵＥにより報告された、前記第２測定ウィンドウにおいて測定し得たＣＳＩを受信し、または、
前記送信機が前記トリガーシグナリングを送信した後からの第Ｍ番目のサブフレームにおいて、ＰＵＳＣＨリソースを介し、前記ＵＥにより報告された、前記第２測定ウィンドウにおいて測定し得たＣＳＩを受信する。
【００５６】
本発明に係る実施例が提供するチャネル状態情報のフィードバック装置は、受信機と、送信機と、前記受信機と前記送信機のうちの少なくとも１つに接続するプロセッサとを備え、 
前記受信機は、基地局からトリガーシグナリングを受信し、前記トリガーシグナリングは、所定の測定ウィンドウにおいて得られたチャネル状態情報（ＣＳＩ）を報告するように前記ＵＥに指示するためのものであり、
プロセッサは、メモリに格納されたプログラムを読み出して、前記プロセッサが前記測定ウィンドウにおいて測定し得たＣＳＩを前記基地局に報告するように、前記送信機をトリガーする。
【００５７】
本発明に係る実施例中、前記測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００５８】
オプションとして、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００５９】
好ましくは、前記測定ウィンドウに含まれる連続のサブフレームの数はＮより小さいか等しい値であり、前記Ｎは、前記トリガーシグナリングを受信したサブフレームとＣＳＩを報告するサブフレームの間に含まれる連続のサブフレームの数である。
【００６０】
オプションとして、前記プロセッサは、
前記受信機がトリガーシグナリングを受信してＭ個のサブフレームが経過した後、前記プロセッサが第１測定ウィンドウにおいて測定し得たＣＳＩを前記基地局に報告するように、送信機をトリガーし、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数である。
【００６１】
オプションとして、前記プロセッサは、
前記受信機がトリガーシグナリングを受信してＭ個のサブフレームが経過した後、一番近いＰＵＣＣＨリソースを介し、前記プロセッサが前記第１測定ウィンドウにおいて測定し得たＣＳＩを前記基地局に報告するように、送信機をトリガーし、または、前記受信機が前記トリガーシグナリングを受信した後のＭ番目のサブフレームにおいて、ＰＵＳＣＨリソースを介し、前記プロセッサが前記第１測定ウィンドウにおいて測定し得たＣＳＩを前記基地局に報告するように、送信機をトリガーする。
【００６２】
前記プロセッサは、第２測定ウィンドウが終了してかつＭ個のサブフレームが経過した後、前記プロセッサが前記第２測定ウィンドウにおいて測定し得たＣＳＩを前記基地局に報告するように、送信機をトリガーし、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【００６３】
または、前記受信機がトリガーシグナリングを受信してＭ個のサブフレームが経過した後、前記プロセッサが第２測定ウィンドウにおいて測定し得たＣＳＩを前記基地局に報告するように、送信機をトリガーし、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【００６４】
前記プロセッサは、
前記第２測定ウィンドウが終了してＭ個のサブフレームが経過した後、一番近いＰＵＣＣＨリソースを介し、前記プロセッサが前記第２測定ウィンドウにおいて測定し得たＣＳＩを前記基地局に報告するように、送信機をトリガーし、または、
前記第２測定ウィンドウが終了後からの第Ｍ番目のサブフレームにおいて、ＰＵＳＣＨリソースを介し、前記プロセッサが前記第２測定ウィンドウにおいて測定し得たＣＳＩを前記基地局に報告するように、送信機をトリガーし、または、
前記受信機がトリガーシグナリングを受信してＭ個のサブフレームが経過した後、一番近いＰＵＣＣＨリソースを介し、前記プロセッサが前記第２測定ウィンドウにおいて測定し得たＣＳＩを前記基地局に報告するように、送信機をトリガーし、または、
前記受信機が前記トリガーシグナリングを受信した後からの第Ｍ番目のサブフレームにおいて、ＰＵＳＣＨリソースを介し、前記プロセッサが前記第２測定ウィンドウにおいて測定し得たＣＳＩを前記基地局に報告するように、送信機をトリガーする。
【００６５】
本発明に係る実施例が提供するチャネル状態情報のフィードバック制御装置は、受信機と、送信機と、前記受信機が前記トリガーシグナリングを受信した後からの第Ｍ番目のサブ前記受信機と前記送信機のうちの少なくとも１つに接続するプロセッサとを備え、
前記プロセッサは、メモリに格納されたプログラムを読み出して、前記ＵＥが所定の測定ウィンドウにおいて得られたチャネル状態情報（ＣＳＩ）を報告させるために、ＵＥにトリガーシグナリングを送信するように、送信機をトリガーし、
前記受信機は、前記ＵＥにより報告された、前記測定ウィンドウにおいて測定し得たＣＳＩを受信する。
【００６６】
本発明に係る実施例において、前記測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【００６７】
さらに、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【００６８】
好ましくは、前記測定ウィンドウに含まれる連続のサブフレームの数はＮより小さいか等しい値であり、前記Ｎは、前記トリガーシグナリングを送信するサブフレームと前記ＵＥにより報告されたＣＳＩを受信するサブフレームの間に含まれる連続のサブフレームの数である。
【００６９】
オプションとして、前記受信機は、
前記送信機が前記トリガーシグナリングを送信して、かつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数である。
【００７０】
オプションとして、前記受信機は、
前記送信機が前記トリガーシグナリングを送信して、かつＭ個のサブフレームが経過した後、一番近いＰＵＣＣＨリソースを介し、前記ＵＥにより報告された、前記第１測定ウィンドウにおいて測定し得たＣＳＩを受信し、
または、前記送信機１２２が前記トリガーシグナリングを送信した後からの第Ｍ番目のサブフレーム上、ＰＵＳＣＨリソースを介し、前記ＵＥにより報告された、前記第１測定ウィンドウにおいて測定し得たＣＳＩを受信する。
【００７１】
オプションとして、前記受信機は、
第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であり、または、
前記送信機が前記トリガーシグナリングを送信して、かつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【００７２】
オプションとして、前記受信機は、
前記第２測定ウィンドウが終了してＭ個のサブフレームが経過した後、一番近いＰＵＣＣＨリソースを介し、前記ＵＥにより報告された、前記第２測定ウィンドウにおいて測定し得たＣＳＩを受信し、または、
前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信し、または、
前記送信機１２２が前記トリガーシグナリングをしてかつＭ個のサブフレームが経過した後、一番近いＰＵＣＣＨリソースを介し、前記ＵＥにより報告された、前記第２測定ウィンドウにおいて測定し得たＣＳＩを受信し、または、
前記送信機１２２が前記トリガーシグナリングを送信した後からの第Ｍ番目のサブフレームにおいて、ＰＵＳＣＨリソースを介し、前記ＵＥにより報告された、前記第２測定ウィンドウにおいて測定し得たＣＳＩを受信する。
【発明の効果】
【００７３】
本発明に係る実施例が非周期ＣＳＩ-ＲＳに基づいて伝送するチャネル状態情報のフィードバック案を提出し、ＵＥは、基地局からトリガーシグナリングを受信した後、前記ＵＥが所定の測定ウィンドウにおいて測定し得たＣＳＩを基地局に報告する。ＵＥが前記ＵＥが所定の測定ウィンドウにおいて測定し得たＣＳＩのみを報告するため、ＵＥによるＣＳＩフィードバックの頻度が低減され、ＣＳＩフィードバックのオーバーヘッドも減少された。
【図面の簡単な説明】
【００７４】
【図１Ａ】は第１種の基地局アンテナアレーの構造図である。
【図１Ｂ】は第２種の基地局アンテナアレーの構造図である。
【図２Ａ】は第３種の基地局アンテナアレーの構造図である。
【図２Ｂ】は第４種の基地局アンテナアレーの構造図である。
【図３】はＣＳＩ-ＲＳ送信方法を示す図である。
【図４】は本発明に係るチャネル状態情報のフィードバック方法を示す図である。
【図５】は本発明に係る基地局及びＵＥ処理のタイムチャートである。
【図６】は本発明に係るチャネル状態情報のフィードバック制御方法を示す図である。
【図７】は本発明に係る実施例の実施例１の基地局及びＵＥ処理のタイムチャートである。
【図８】は本発明に係る実施例２の基地局及びＵＥ処理のタイムチャートである。
【図９】は本発明に係るチャネル状態情報のフィードバック装置を示す図である。
【図１０】は本発明に係るチャネル状態情報のフィードバック制御装置を示す図である。
【図１１】は本発明に係るＵＥを示す図である。
【図１２】は本発明に係る基地局を示す図である。
【発明を実施するための形態】
【００７５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。本分野の一般の技術者にとって、創造性的労働をしなくても、これらの実施形態に基づいてその他の実施形態を容易に獲得することができ、全て本発明の保護範囲に属することは明白である。
【００７６】
本発明の技術案は多様な通信システムに応用することができる。例えば、ＧＳＭ（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）などに応用できる。
【００７７】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ、ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００７８】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ、ＢＴＳ）であってもよいし、ＷＣＤＭＡの基地局（ＮｏｄｅＢ）であってもよく、ＬＴＥの進化型基地局（ＮｏｄｅＢまたはｅＮＢまたはｅ-ＮｏｄｅＢ、ｅｖｏｌｕｔｉｏｎａｌ Ｎｏｄｅ Ｂ）であってもよいが、本発明をそれに限定しない。
【００７９】
以下、図面を参照しながら本発明をさらに詳しく説明する。ここでの実施例は、本発明を説明、解釈するためにすぎず、本発明を限定するためのものではない。
【００８０】
本発明に係る実施例はチャネル状態情報のフィードバック方法を提供し、図４に示すように、当該方法は下記のステップを備える。
【００８１】
Ｓ４１において、ＵＥは基地局からトリガーシグナリングを受信する。当該トリガーシグナリングは、所定の測定ウィンドウにおいて取得したＣＳＩを報告するように、ＵＥに指示する。
【００８２】
Ｓ４２において、ＵＥは、自分が所定の測定ウィンドウにおいて測定し得たＣＳＩを基地局に報告する。
【００８３】
本発明に係る実施例により提供するチャネル状態情報フィードバック案によれば、ＵＥは、基地局からトリガーシグナリングを受信した後、当該ＵＥが所定の測定ウィンドウにおいて測定し得たＣＳＩを基地局に報告する。ＵＥが自分で所定の測定ウィンドウにおいて測定し得たＣＳＩのみを報告するため、ＵＥによるＣＳＩフィードバックの頻度が低減され、ＣＳＩフィードバックのオーバーヘッドも減少された。
【００８４】
本発明に係る実施例において、トリガーシグナリングには、ＵＥのＣＳＩ測定に対応するダウンリンクリファレンス信号の構成情報が含まれるか、または、ＣＳＩ測定に対応するダウンリンクリファレンス信号の構成情報の集合の指示情報が含まれる。
【００８５】
ここで、ダウンリンクリファレンス信号の構成情報は、ＣＳＩ-ＲＳリソース設定、セル特定のリファレンス信号（Ｃｅｌｌ−Ｓｐｅｃｉｆｉｃ ｒｅｆｅｒｅｎｃｅ Ｓｉｇｎａｌｓ、ＣＲＳ）リソース設定、または、干渉測定リソース設定などを含む。
【００８６】
基地局及びＵＥは、全部のダウンリンクリファレンス信号の構成情報を事前に把握し、基地局がトリガーシグナリングによりＣＳＩ測定に対応するダウンリンクリファレンス信号の構成情報をＵＥに指示することが説明される。例えば、指示情報は２ビット情報を利用して指示し、００はＣＳＩ-ＲＳリソース設定１を示し、０１はＣＳＩ-ＲＳリソース設定２を示し、１０はＣＳＩ-ＲＳリソース設定３を示すなど。
【００８７】
基地局及びＵＥは、全部のダウンリンクリファレンス信号の構成情報の集合を事前にして、基地局がトリガーシグナリングにより、ＣＳＩ測定に対応するダウンリンクリファレンス信号の構成情報の集合を、ＵＥに指示する。例えば、指示情報は２ビット情報を利用して指示し、００は、ＣＳＩ-ＲＳリソース設定１及びＣＳＩ-ＲＳリソース設定２の集合を示し、０１はＣＳＩ-ＲＳリソース設定１及びＣＳＩ-ＲＳリソース設定３の集合を示し、１０はＣＳＩ-ＲＳリソース設定１、ＣＳＩ-ＲＳリソース設定２及びＣＳＩ-ＲＳリソース設定３の集合を示すなど。
【００８８】
本発明に係る実施例において、所定の測定ウィンドウ長は下記３つの好ましい態様を含む。
【００８９】
＜態様１＞所定の測定ウィンドウ長は予めに約定されたものである。
【００９０】
具体的に、予め約定する方式は、基地局側及びＵＥ側が測定ウィンドウ長に対する認識が一致させる方式であり、たとえば、仕様書またはプロトコルにより約定し、メーカ間の約定など方式がある。
【００９１】
＜態様２＞所定の測定ウィンドウ長は、基地局が高位層シグナリングによりＵＥに通知されたものである。
【００９２】
具体的に、基地局は、測定ウィンドウ長を規定して、高位層シグナリング、たとえば、無線リソース制御（Ｒａｄｉｏ Ｒｅｓｏｕｒｃｅ Ｃｏｎｔｒｏｌ、ＲＲＣ）や、メディアアクセス制御（Ｍｅｄｉａ Ａｃｃｅｓｓ Ｃｏｎｔｒｏｌ、ＭＡＣ）シグナリングにより、所定の測定ウィンドウ長をＵＥに通知する。
【００９３】
＜態様３＞トリガーシグナリングには所定の測定ウィンドウ長と関連する情報が含まれる。ここで、所定の測定ウィンドウ長と関連する情報は、所定の測定ウィンドウ長の具体値であるか、所定の測定ウィンドウ長が予め約定した固定長や高位層シグナリングにより指示した長を示す指示情報である。
【００９４】
具体的に、基地局はトリガーシグナリングによりＵＥに所定の測定ウィンドウ長を通知する。当該トリガーシグナリングには、所定の測定ウィンドウ長が含まれることができ、所定の測定ウィンドウ長が予め約定した固定長や高位層シグナリングにより指示した長を示す指示情報も含まれることができる。ＵＥが当該指示情報を受信することにより、所定の測定ウィンドウ長が予めに約定されたものである固定長であるか、基地局が高位層シグナリングにより当該ＵＥに通知した長であるかを知る。例を挙げて説明する。指示情報は１ビット情報を採用し、ここで、０は所定の測定ウィンドウ長が予め約定した固定長であることを示し、１は所定の測定ウィンドウ長が高位層シグナリングにより指示した長であることを示す。
【００９５】
上記いずれの態様によれば、所定の測定ウィンドウ長は、当該測定ウィンドウにおけるＣＳＩ測定用のサブフレームの数であり、または、所定の測定ウィンドウ長は、当該測定ウィンドウに含まれる連続のサブフレームの数である。
【００９６】
具体的に、所定の測定ウィンドウ長は、当該測定ウィンドウに含まれるＣＳＩ測定用のサブフレームの数k、即ち、ＣＳＩ測定用のサブフレーム（たとえば、ＣＳＩ-ＲＳを伝送するサブフレーム）により定義されることができる。例を挙げて説明すれば、測定ウィンドウにおけるＣＳＩ測定用のサブフレーム数がkとすれば、当該測定ウィンドウには、k個のＣＳＩ測定用のサブフレームが含まれるべきであり、一方、当該測定ウィンドウにおける実に含まれる連続のサブフレーム数について制限しない。
【００９７】
好ましくは、所定の測定ウィンドウに含まれる連続のサブフレームの数はＮより小さいか等しい値であり、Ｎは、ＵＥがトリガーシグナリングを受信したサブフレームと当該ＵＥがＣＳＩを報告したサブフレームの間に含まれる連続のサブフレームの数である。
【００９８】
上述のいずれかの実施例に基づき、Ｓ４２において、ＵＥが所定の測定ウィンドウにおいて測定し得たＣＳＩを基地局に報告することは、以下３つの態様を有する。
【００９９】
＜態様１＞ＵＥはトリガーシグナリングを受信してかつＭ個のサブフレームが経過した後、第１測定ウィンドウにおいて測定し得たＣＳＩを基地局に報告する。当該第１測定ウィンドウは、トリガーシグナリングを受信する前、かつトリガーシグナリングを受信したサブフレームと一番近い所定の測定ウィンドウのうちの１つであり、Ｍは０より大きいか等しい整数である。
【０１００】
ここで、Ｍの値は、予め約定されたものであるか、基地局により決めされて高位層シグナリングによりＵＥに通知されたものであるか、基地局により決めされてトリガーシグナリングによりＵＥに通知されたものである。例えば、ＦＤＤ（Ｆｒｅｑｕｅｎｃｙ Ｄｉｖｉｓｉｏｎ Ｄｕｐｌｅｘ）の場合、Ｍ=４である。
【０１０１】
当該態様の場合、ＵＥは、トリガーシグナリングを受信する前までに、受信したＣＳＩ測定用のリファレンス信号をずっと測定して、報告しない。当該ＵＥは、トリガーシグナリングを受信したサブフレームと一番近い所定の測定ウィンドウ（即ち、第１測定ウィンドウ）中の１つにおける測定し得たＣＳＩを基地局に報告し、他のウィンドウにおいて測定し得たＣＳＩは、報告する必要がない。
【０１０２】
例を挙げて第１測定ウィンドウの決めを説明する。図５に示すように、基地局は周期的にＣＳＩ-ＲＳ信号を送信し、異なる周期のＣＳＩ-ＲＳ信号に採用された垂直フォーミングベクトルは、同一ではなくてもよい。ＣＳＩ-ＲＳの周期が４にする。例えば、サブフレームＮ-８において送信したＣＳＩ-ＲＳはＵＥ１的垂直フォーミングベクトルを採用し、サブフレームＮ-４及びＮにおいて送信したＣＳＩ-ＲＳは、ＵＥ２の垂直フォーミングベクトルを採用する。基地局は、サブフレームＮ+１においてＵＥ２にトリガーシグナリングを送信する。所定の測定ウィンドウ長が２個のＣＳＩ測定用のサブフレームであれば、ＵＥ２にとって、第１測定ウィンドウはサブフレームＮ-４からサブフレームＮまでである。所定の測定ウィンドウ長が６個のサブフレームであれば、ＵＥ２にとって、第１測定ウィンドウは、サブフレームＮ-５からサブフレームＮまでである。
【０１０３】
好ましくは、周期的なＣＳＩのフィードバックの場合、ＵＥは、前記トリガーシグナリングを受信してＭ個のサブフレームが経過した後、一番近い物理アップリンク制御チャネル（Ｐｈｙｓｉｃａｌ Ｕｐｌｉｎｋ Ｃｏｎｔｒｏｌ Ｃｈａｎｎｅｌ、ＰＵＣＣＨ）リソースを開始、第１測定ウィンドウにおいて測定し得たＣＳＩを基地局に報告する。
【０１０４】
好ましくは、非周期的なＣＳＩのフィードバックの場合、ＵＥは、トリガーシグナリングを受信した後からの第Ｍ番目のサブフレームにおいて、物理アップリンク制御チャネル（Ｐｈｙｓｉｃａｌ Ｕｐｌｉｎｋ Ｓｈａｒｅｄ Ｃｈａｎｎｅｌ、ＰＵＳＣＨ）リソースを開始、第１測定ウィンドウにおいて測定し得たＣＳＩを基地局に報告する。
【０１０５】
＜態様２＞ＵＥは、第２測定ウィンドウが終了しかつＭ個のサブフレームが経過した後、自分が第２測定ウィンドウにおいて測定し得たＣＳＩを基地局に報告する。当該第２測定ウィンドウは、トリガーシグナリングを受信した後、かつトリガーシグナリングを受信したサブフレームと一番近い所定の測定ウィンドウのうちの１つであり、Ｍは０より大きいか等しい整数である。
【０１０６】
具体的に、ＵＥは、トリガーシグナリングを受信する前、ＣＳＩ測定を行わない。トリガーシグナリングを受信してかつトリガーシグナリングを受信したサブフレームと一番近い所定の測定ウィンドウ（即ち、第２測定ウィンドウ）中の１において、ＣＳＩ測定を始めて、得られたＣＳＩを基地局に送信する。
【０１０７】
例を挙げて第１測定ウィンドウの決めを説明する。ここも図５の例を挙げて、基地局はＣＳＩ-ＲＳ信号を周期的に送信し、異なる周期のＣＳＩ-ＲＳ信号に採用された垂直フォーミングベクトルは同一ではなくてもよい。ＣＳＩ-ＲＳの周期を４とする。例えば、サブフレームＮ-８において送信したＣＳＩ-ＲＳは、ＵＥ１の垂直フォーミングベクトルを採用し、サブフレームＮ-４及びＮにおけるＣＳＩ-ＲＳはＵＥ２の垂直フォーミングベクトルを採用する。基地局は、サブフレームＮ-６においてＵＥ２にトリガーシグナリングを送信する。所定の測定ウィンドウ長が２個のＣＳＩ測定用のサブフレームであれば、ＵＥ２にとって、第２測定ウィンドウはサブフレームＮ-４からサブフレームＮまでである。所定の測定ウィンドウ長が個のサブフレームであれば、ＵＥ２にとって、第２測定ウィンドウは、サブフレームＮ-５からサブフレームＮまでである。
【０１０８】
好ましくは、周期的なＣＳＩのフィードバックの場合、ＵＥは、第２測定ウィンドウが終了しかつＭ個のサブフレームが経過した後、一番近いＰＵＣＣＨリソースを介し、自分が第２測定ウィンドウにおいて測定し得たＣＳＩを基地局に報告する。
【０１０９】
好ましくは、非周期的なＣＳＩのフィードバックの場合、ＵＥは、第２測定ウィンドウが終了しかつＭ個のサブフレームが経過した後、ＰＵＳＣＨリソースを介し、自分が第２測定ウィンドウにおいて測定し得たＣＳＩを基地局に報告する。
【０１１０】
＜態様３＞ＵＥは、トリガーシグナリングを受信してかつＭ個のサブフレームが経過した後、自分が第２測定ウィンドウにおいて測定し得たＣＳＩを基地局に報告し、第２測定ウィンドウは、トリガーシグナリングを受信した後、かつ前記トリガーシグナリングを受信したサブフレームと一番近い所定の測定ウィンドウのうちの１つであり、Ｍは０より大きいか等しい整数である。
【０１１１】
好ましくは、周期的なＣＳＩのフィードバックの場合、ＵＥは、トリガーシグナリングを受信してかつＭ個のサブフレームが経過した後、一番近いＰＵＣＣＨリソースを介し、自分が第２測定ウィンドウにおいて測定し得たＣＳＩを基地局に報告する。
【０１１２】
好ましくは、非周期的なＣＳＩのフィードバックの場合、ＵＥは、トリガーシグナリングを受信してかつＭ個のサブフレームが経過した後、ＰＵＳＣＨリソースを介し、自分が第２測定ウィンドウにおいて測定し得たＣＳＩを基地局に報告する。
【０１１３】
上述の態様２及び態様３において、ＵＥが所定の測定ウィンドウのみにおいて測定して、測定し得たＣＳＩをフィードバックするため、ＵＥの測定煩雑さを低減することができる。
【０１１４】
ＦＤ ＭＩＭＯシステムにおいて、１つのセルに複数のＣＳＩ-ＲＳリソースが割り当てられ、異なるリソースは、異なる垂直次元のフォーミングベクトルを採用することが説明される。１つのセルに採用された垂直ビームが多ければ、それぞれのビームに１つのＣＳＩ-ＲＳリソースが対応する必要があるため、セル内のＣＳＩ-ＲＳが大量な物理リソースを占有してしまい、スペクトラム効率に影響を与える。ＣＳＩ-ＲＳリソースのオーバーヘッドを低減させるため、ＣＳＩ-ＲＳリソースは、複数のＵＥにより共有され、基地局は、異なる時刻に異なるフォーミングベクトルを利用して、当該ＣＳＩ-ＲＳリソースをフォーミングして、異なるＵＥのＣＳＩ測定及びフィードバックに利用される。従来のＵＥは、自らＣＳＩ測定のための測定ウィンドウ長を決めるため、ＵＥが測定する場合、他のＵＥに対しフォーミングするＣＳＩ-ＲＳを測定してしまう可能性が高く、これによって正確でない測定が使用される。よって、基地局によりそれぞれのＵＥに、当該ＵＥの特定のフォーミングベクトルに対応するＣＳＩ-ＲＳの送信時刻にＣＳＩ測定を行わせるように、指示する必要がある。他の時刻において、基地局が依然としてＣＳＩ-ＲＳを送信するが、送信したＣＳＩ-ＲＳは、当該ＵＥにとって意味がないものである。本発明に係る実施例が提供するチャネル状態情報のフィードバック案は、上述のＣＳＩ-ＲＳ伝送に用いられることができ、具体的には、同一のＣＳＩ-ＲＳを共有するＵＥにとって、それぞれのＵＥに対応する所定の測定ウィンドウ内のパイロット信号は、基地局が当該ＣＳＩ-ＲＳリソースに対して、当該ＵＥの特定のフォーミングベクトルによりフォーミングすることにより得られたものであるため、特に、システムにおいて少ないユーザーをスケジューリングする場合、ＣＳＩ-ＲＳの効率を向上し、ＣＳＩ-ＲＳリソースのオーバーヘッドを低減することができる。
【０１１５】
同様な発明の思想により、本発明に係る実施が提供するチャネル状態情報のフィードバック制御方法は図６に示すように、以下のステップを備える。
【０１１６】
Ｓ６１、基地局は、ＵＥにトリガーシグナリングを送信して、ＵＥに、所定の測定ウィンドウにおいて得られたＣＳＩを報告させるように指示する。
【０１１７】
Ｓ６２、基地局は、ＵＥにより報告された、所定の測定ウィンドウにおいて測定し得たＣＳＩを受信する。
【０１１８】
本発明に係る実施例が提供する非周期ＣＳＩ-ＲＳ伝送に基づくチャネル状態情報フィードバック制御によれば、基地局は、ＵＥにトリガーシグナリングを送信して、ＵＥに、所定の測定ウィンドウにおいて得られたＣＳＩを報告させるように指示する。基地局は、ＵＥにより報告された、所定の測定ウィンドウにおいて測定し得たＣＳＩを受信する。ＵＥが自分で所定の測定ウィンドウにおいて測定し得たＣＳＩのみを報告するため、ＵＥによるＣＳＩフィードバックの頻度が低減され、ＣＳＩフィードバックのオーバーヘッドも減少された。
【０１１９】
本発明に係る実施例中、所定の測定ウィンドウ長は予めに約定されたものである。
【０１２０】
または、所定の測定ウィンドウ長は、基地局が高位層シグナリングによりＵＥに通知されたものである。
【０１２１】
または、トリガーシグナリングには所定の測定ウィンドウ長と関連する情報が含まれる。ここで、所定の測定ウィンドウ長と関連する情報は、所定の測定ウィンドウ長であるか、所定の測定ウィンドウ長が予め約定した固定長や高位層シグナリングにより指示した長を示す指示情報である。
【０１２２】
また、所定の測定ウィンドウ長は、所定の測定ウィンドウにおけるＣＳＩ測定用のサブフレームの数であるか、または、所定の測定ウィンドウ長は、所定の測定ウィンドウに含まれる連続のサブフレームの数である。
【０１２３】
好ましくは、所定の測定ウィンドウに含まれる連続のサブフレームの数はＮより小さいか等しい値であり、Ｎは、基地局がトリガーシグナリングを送信するサブフレームと基地局がＵＥにより報告されたＣＳＩを受信したサブフレームの間に含まれる連続のサブフレームの数である。
【０１２４】
上述のいずれかの実施例に基づき、第１種の好ましい実施態様として、Ｓ６２において、基地局がＵＥにより報告された、所定の測定ウィンドウにおいて測定し得たＣＳＩを受信することは、具体的に、基地局は、トリガーシグナリングを送信してかつＭ個のサブフレームが経過した後、ＵＥにより報告された、第１測定ウィンドウにおいて測定し得たＣＳＩを受信する。第１測定ウィンドウは、トリガーシグナリングを送信する前かつトリガーシグナリングを送信するサブフレームと一番近い所定の測定ウィンドウのうちの１つであり、Ｍは０より大きいか等しい整数である。
【０１２５】
好ましくは、周期的なＣＳＩのフィードバックの場合、基地局は、トリガーシグナリングを送信してかつＭ個のサブフレームが経過した後、一番近いＰＵＣＣＨリソースを介し、ＵＥにより報告された、第１測定ウィンドウにおいて測定し得たＣＳＩを受信する。
【０１２６】
好ましくは、非周期的なＣＳＩのフィードバックの場合、基地局は、トリガーシグナリングを送信した後からの第Ｍ番目のサブフレームにおいて、ＰＵＳＣＨリソースを介し、ＵＥにより報告された、第１測定ウィンドウにおいて測定し得たＣＳＩを受信する。
【０１２７】
第２種の好ましい実施態様として、Ｓ６２において、基地局がＵＥにより報告された、所定の測定ウィンドウにおいて測定し得たＣＳＩを受信することは、具体的に、基地局は、第２測定ウィンドウが終了してかつＭ個のサブフレームが経過した後、ＵＥにより報告された、第２測定ウィンドウにおいて測定し得たＣＳＩを受信する。第２測定ウィンドウは、トリガーシグナリングを送信した後かつトリガーシグナリングを送信するサブフレームと一番近い所定の測定ウィンドウのうちの１つである。Ｍは０より大きいか等しい整数である。
【０１２８】
好ましくは、周期的なＣＳＩのフィードバックの場合、基地局は、第２測定ウィンドウが終了してかつＭ個のサブフレームが経過した後、一番近いＰＵＣＣＨリソースを介し、ＵＥにより報告された、第２測定ウィンドウにおいて測定し得たＣＳＩを受信する。
【０１２９】
好ましくは、非周期的なＣＳＩのフィードバックの場合、基地局は、第２測定ウィンドウが終了した後からの第Ｍ番目のサブフレームにおいて、ＰＵＳＣＨリソースを介し、ＵＥにより報告された、第２測定ウィンドウにおいて測定し得たＣＳＩを受信する。
【０１３０】
第３種の好ましい実施態様として、Ｓ６２において、基地局がＵＥにより報告された、所定の測定ウィンドウにおいて測定し得たＣＳＩを受信することは、具体的に、基地局は、トリガーシグナリングを送信してかつＭ個のサブフレームが経過した後、ＵＥにより報告された、第２測定ウィンドウにおいて測定し得たＣＳＩを受信する。第２測定ウィンドウは、トリガーシグナリングを送信した後かつトリガーシグナリングを送信するサブフレームと一番近い所定の測定ウィンドウのうちの１つである。Ｍは０より大きいか等しい整数である。
【０１３１】
好ましくは、周期的なＣＳＩのフィードバックの場合、基地局は、トリガーシグナリングを送信してかつＭ個のサブフレームが経過した後、一番近いＰＵＣＣＨリソースを介し、ＵＥにより報告された、第２測定ウィンドウにおいて測定し得たＣＳＩを受信する。
【０１３２】
好ましくは、非周期的なＣＳＩのフィードバックの場合、基地局は、トリガーシグナリングを送信した後からの第Ｍ番目のサブフレームにおいて、ＰＵＳＣＨリソースを介し、ＵＥにより報告された、第２測定ウィンドウにおいて測定し得たＣＳＩを受信する。
【０１３３】
上述のいずれかの実施例に基づき、トリガーシグナリングには、ＵＥｎｏＣＳＩ測定に対応するダウンリンクリファレンス信号の構成情報が含まれるか、ＣＳＩ測定に対応するダウンリンクリファレンス信号集合的構成情報を示す指示情報が含まれる。
【０１３４】
本発明に係る実施例のチャネル状態情報のフィードバック制御案は、非周期ＣＳＩ-ＲＳ伝送に適用でき、具体的には、同一のＣＳＩ-ＲＳを共有するＵＥにとって、それぞれのＵＥに対応する所定の測定ウィンドウ内のパイロット信号は、基地局が当該ＣＳＩ-ＲＳリソースに対して、ＵＥの特定のフォーミングベクトルを利用してフォーミングして得られたものであり、こうして、特に、システム中のスケジューリングするユーザーが少ない場合、ＣＳＩ-ＲＳの効率を向上し、ＣＳＩ-ＲＳリソースのオーバーヘッドを低減することができる。
【０１３５】
以下、２つの実施例を挙げて、ＵＥと基地局の対話の角度から、本発明の技術案を説明する。
【０１３６】
＜実施例１＞
１）基地局は、ＣＳＩ-ＲＳ信号を周期的に送信し、異なる周期においてＣＳＩ-ＲＳ信号に採用されたフォーミングベクトルは同一ではなくてもよい。ＣＳＩ-ＲＳの周期をＴとする。例えば、サブフレームＮ-２Ｔにおいて送信するＣＳＩ-ＲＳはＵＥ１のフォーミングベクトルを採用し、サブフレームＮ-Ｔ及びＮにおけるＣＳＩ-ＲＳはＵＥ２のフォーミングベクトルを採用し、タイムチャートは図７にしめすとおりである。
【０１３７】
２）ＵＥ２は、ＣＳＩ-ＲＳ周期ごとに、ＣＳＩ-ＲＳにもとづいてＣＳＩ測定を行い、ＣＳＩ測定ウィンドウk=２つのＣＳＩ測定用のサブフレーム（以下、ＣＳＩ測定サブフレームという）であることを基地局と予めに約定する。よって、ＵＥがＣＳＩ-ＲＳ周期ごとに測定しても、一番近い２つのＣＳＩ-ＲＳサブフレームにおいて測定し得たＣＳＩのみを格納する。
【０１３８】
３）基地局は、サブフレームＮ+２において、ダウンリンク制御情報（Ｄｏｗｎｌｉｎｋ Ｃｏｎｔｒｏｌ Ｉｎｆｏｒｍａｔｉｏｎ、ＤＣＩ）により、ＵＥ２に、ＣＳＩフィードバックを行わせるように、トリガーする。
【０１３９】
４）ＵＥ２は、トリガーシグナリングを受信した後、Ｎ+６サブフレーム（Ｍ=４つのサブフレーム分の遅延）におけるＰＵＳＣＨにて非周期ＣＳＩ報告を行う。報告するＣＳＩは、サブフレームＮ+２の前に、一番近い２つのＣＳＩ測定サブフレームにおいて測定し得たＣＳＩであり、即ち、サブフレームＮ-Ｔ及びＮにおいて測定し得たＣＳＩである。よって、ＵＥが報告したＣＳＩすべては、自分のフォーミングベクトルフォーミングしたＣＳＩ-ＲＳに基づいて測定し得たものである。
【０１４０】
＜実施例２＞
１）基地局は、ＣＳＩ-ＲＳ信号を周期的に送信し、異なる周期のＣＳＩ-ＲＳ信号に採用されたフォーミングベクトルは同一ではなくてもよい。ＣＳＩ-ＲＳの周期をＴ=５とする。例えば、サブフレームＮ-１０において送信するＣＳＩ-ＲＳは、ＵＥ１のフォーミングベクトルを採用し、サブフレームＮ-５及びＮにおけるＣＳＩ-ＲＳはＵＥ２のフォーミングベクトルを採用する。そのタイムチャートは図８に示すとおりである。
【０１４１】
２）ＵＥ２はトリガーシグナリングを受信する前、高位層シグナリングによりＣＳＩ-ＲＳリソース設定を知ることができ、ＣＳＩ-ＲＳに基づいてＣＳＩ測定を行う必要がない。
【０１４２】
３）基地局は、サブフレームＮ-７において、ＤＣＩにより、ＵＥ２がＣＳＩ測定及びフィードバックすることをトリガーする。同時に、トリガーシグナリングは、そのＣＳＩ測定ウィンドウ長L=１０個のサブフレームであることをＵＥ２に示す。
【０１４３】
４）ＵＥ２は、トリガーシグナリングを受信した後、その後のL=１０個のサブフレームにおいてＣＳＩ測定を行い、測定ウィンドウが終了した後（即ち、サブフレームＮ+３の後）、一番近いＰＵＣＣＨリソースにおいて測定し得たＣＳＩを報告する。ここで、ＵＥは、測定ウィンドウ内の２つのＣＳＩ-ＲＳサブフレーム（即ち、サブフレームＮ-５及びサブフレームＮ）において、チャネル情報測定を行い、当該２つのサブフレームにおけるＣＳＩ-ＲＳは、ＵＥ２のフォーミングベクトルを採用する。
【０１４４】
上述の実施例には、垂直次元のビームフォーミングの例のみを挙げて説明したが、フォーミング方式を制限するわけではないことが説明される。本発明に係る実施例の基地局は、他のフォーミングベクトルを利用してＣＳＩ-ＲＳをフォーミングすることもできる。例えば、基地局は、水平次元のフォーミングベクトルを利用してＣＳＩ-ＲＳをフォーミングしてもよいし、または、基地局は、水平・垂直２次元のフォーミングベクトルを採用してＣＳＩ-ＲＳをフォーミングすることもできる。
【０１４５】
上述方法の処理の流れは、ソフトウェアプログラムにより実施される。当該ソフトウェアプログラムは、記憶媒体に格納されることができる。格納されたソフトウェアプログラムが呼び出される場合、上述の方法ステップを執行する。
【０１４６】
同様な発明思想に基づいて、本発明に係る実施例はチャネル状態情報のフィードバック装置を提供したが、当該装置により課題を解決する原理は、上記チャネル状態情報のフィードバック方法と類似するため、当該装置の実施は方法の実施を参照することができ、繰り返して説明しない。
【０１４７】
本発明に係る実施例が提供するチャネル状態情報のフィードバック装置は、図９に示すように、前記装置は、基地局からトリガーシグナリングを受信ずる受信モジュール９１であって、前記トリガーシグナリングは、所定の測定ウィンドウにおいて得られたチャネル状態情報（ＣＳＩ）を報告するように、前記装置に指示するためのものである前記受信モジュール９１と、自分が前記測定ウィンドウにおいて測定し得たＣＳＩを前記基地局に送信する処理モジュール９２とを備える。
【０１４８】
本発明に係る実施例中、前記測定ウィンドウ長は予めに約定されたものである。
【０１４９】
または、前記測定ウィンドウ長は、前記基地局が高位層シグナリングにより前記装置に通知されたものである。
【０１５０】
または、前記トリガーシグナリングには前記測定ウィンドウ長と関連する情報が含まれ。前記測定ウィンドウ長と関連する情報は、前記測定ウィンドウ長であるか、または、前記測定ウィンドウ長が予め約定された固定長や、高位層シグナリングにより指示された長であることを示す指示情報である。
【０１５１】
また、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【０１５２】
好ましくは、前記測定ウィンドウに含まれる連続のサブフレームの数はＮより小さいか等しい値であり、前記Ｎは、前記トリガーシグナリングを受信したサブフレームとＣＳＩを報告するサブフレームの間に含まれる連続のサブフレームの数である。
【０１５３】
上述のいずれかの実施例に基づき、好ましい実施態様として、前記処理モジュール９２は、前記受信モジュール９１が前記トリガーシグナリングを受信しかつＭ個のサブフレームが経過した後、自分が第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数である。
【０１５４】
好ましくは、前記処理モジュール９２は、前記受信モジュール９１が前記トリガーシグナリングを受信しかつＭ個のサブフレームが経過した後、一番近いＰＵＣＣＨリソースを介し、自分が前記第１測定ウィンドウにおいて測定し得たＣＳＩを前記基地局に報告し、または、前記受信モジュール９１が前記トリガーシグナリングを受信した後からの第Ｍ番目のサブフレームにおいて、ＰＵＳＣＨリソースを介し、自分が前記第１測定ウィンドウにおいて測定し得たＣＳＩを前記基地局に報告する。
【０１５５】
他の好ましい実施態様として、前記処理モジュール９２は、第２測定ウィンドウが終了してかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【０１５６】
または、前記受信モジュール９１が前記トリガーシグナリングを受信してかつＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【０１５７】
好ましくは、前記処理モジュール９２は、前記第２測定ウィンドウが終了してＭ個のサブフレームが経過した後、一番近いＰＵＣＣＨリソースを介し、自分が前記第２測定ウィンドウにおいて測定し得たＣＳＩを前記基地局に報告する。
【０１５８】
または、前記第２測定ウィンドウが終了後からの第Ｍ番目のサブフレームにおいて、ＰＵＳＣＨリソースを介し、自分が前記第２測定ウィンドウにおいて測定し得たＣＳＩを前記基地局に報告する。
【０１５９】
または、前記受信モジュール９１が前記トリガーシグナリングを受信してかつＭ個のサブフレームが経過した後、一番近いＰＵＣＣＨリソースを介し、自分が前記第２測定ウィンドウにおいて測定し得たＣＳＩを前記基地局に報告する。
【０１６０】
または、前記受信モジュール９１が前記トリガーシグナリングを受信した後からの第Ｍ番目のサブフレームにおいて、ＰＵＳＣＨリソースを介し、自分が前記第２測定ウィンドウにおいて測定し得たＣＳＩを前記基地局に報告する。
【０１６１】
同様な発明思想に基づいて、本発明に係る実施例はチャネル状態情報のフィードバック制御装置をさらに提供する。当該装置により課題解決する原理は、上述のチャネル状態情報のフィードバック制御方法と類似するため、当該装置の実施は、方法の実施を参照することができ、繰り返して説明しない。
【０１６２】
本発明に係る実施例が提供するチャネル状態情報のフィードバック制御装置は、図１０に示すように、前記装置は、前記ＵＥに、所定の測定ウィンドウにおいて得られたチャネル状態情報（ＣＳＩ）を報告させるように、ＵＥにトリガーシグナリングを送信する送信モジュール１０１と、前記ＵＥにより報告された、前記測定ウィンドウにおいて測定し得たＣＳＩを受信する受信モジュール１０２とを備える。
【０１６３】
本発明に係る実施例において、前記測定ウィンドウ長は予めに約定されたものである。
【０１６４】
または、前記測定ウィンドウ長は、前記装置によりが高位層シグナリングにより前記ＵＥに通知されたものである。
【０１６５】
または、前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【０１６６】
さらに、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【０１６７】
好ましくは、前記測定ウィンドウに含まれる連続のサブフレームの数はＮより小さいか等しい値であり、前記Ｎは、前記トリガーシグナリングを送信するサブフレームと前記ＵＥにより報告されたＣＳＩを受信するサブフレームの間に含まれる連続のサブフレームの数である。
【０１６８】
上述のいずれかの実施例に基づき、好ましい実施態様として、前記受信モジュール１０２は、前記送信モジュール１０１が前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数である。
【０１６９】
好ましくは、前記受信モジュール１０２は、前記送信モジュール１０１が前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信する。
【０１７０】
または、前記送信モジュール１０１が前記トリガーシグナリングを送信した後からの第Ｍ番目のサブフレームにおいて、ＰＵＳＣＨリソースを介し、前記ＵＥにより報告された、前記第１測定ウィンドウにおいて測定し得たＣＳＩを受信する。
【０１７１】
他の好ましい実施態様として、前記受信モジュール１０２は、第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【０１７２】
または、前記送信モジュール１０１が前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【０１７３】
好ましくは、前記受信モジュール１０２は、前記第２測定ウィンドウが終了してＭ個のサブフレームが経過した後、一番近いＰＵＣＣＨリソースを介し、前記ＵＥにより報告された、前記第２測定ウィンドウにおいて測定し得たＣＳＩを受信する。
【０１７４】
または、前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信する。
【０１７５】
または、前記送信モジュール１０１が前記トリガーシグナリングを送信してかつＭ個のサブフレームが経過した後、一番近いＰＵＣＣＨリソースを介し、前記ＵＥにより報告された、前記第２測定ウィンドウにおいて測定し得たＣＳＩを受信する。
【０１７６】
または、前記送信モジュール１０１が前記トリガーシグナリングを送信した後からの第Ｍ番目のサブフレームにおいて、ＰＵＳＣＨリソースを介し、前記ＵＥにより報告された、前記第２測定ウィンドウにおいて測定し得たＣＳＩを受信する。
【０１７７】
以下、好ましいハードウェア構造を参照しながら、本発明に係る実施例により提供するＵＥの構造、処理方式を説明する。
【０１７８】
図１１の実施例において、ＵＥは、受信機１１１と、送信機１１２と、当該受信機１１１及び送信機１１２それぞれと接続する少なくとも１つのプロセッサ１１３とを備える。
【０１７９】
前記受信機１１１は、基地局からトリガーシグナリングを受信し、前記トリガーシグナリングは、所定の測定ウィンドウにおいて得られたチャネル状態情報（ＣＳＩ）を報告するように前記ＵＥに指示するためのものである。
【０１８０】
前記プロセッサ１１３は、メモリ１１４に格納されたプログラムを読み出し、前記送信機１１２が、前記プロセッサ１１３が前記測定ウィンドウにおいて測定し得たＣＳＩを前記基地局に報告するように、トリガーする。
【０１８１】
図１１において、バスアーキテクチャは、いずれ数の相互接続するバス及びブリッジを備える。具体的に、プロセッサ１１３が代表となる１つまたは複数のプロセッサ及びメモリ１１４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。受信機１１１及び送信機１１２は、複数の部品であることができ、即ち、送信機及び受信機を備え、伝送媒体を介して他の装置と通信するユニットを提供する。異なるユーザー設備に対し、ユーザーインターフェース１１５は、外部接続または内部接続に必要な設備のインターフェースであることもできる。接続する設備は、キーパッド、ディスプレー、スピーカー、マイクロホン、ジョイスティック等を備えるが、これに限られない。
【０１８２】
プロセッサ１１３は、バスアーキテクチャ及び通常の処理を監視し、メモリ１１４は、プロセッサ１１３が動作する際に利用するデータを記憶することができる。
【０１８３】
本発明に係る実施例中、前記測定ウィンドウ長は予めに約定されたものである。
【０１８４】
または、前記測定ウィンドウ長は、前記基地局が高位層シグナリングにより前記ＵＥに通知されたものである。
【０１８５】
または、前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【０１８６】
さらに、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【０１８７】
好ましくは、前記測定ウィンドウに含まれる連続のサブフレームの数はＮより小さいか等しい値であり、前記Ｎは、前記トリガーシグナリングを受信したサブフレームとＣＳＩを報告するサブフレームの間に含まれる連続のサブフレームの数である。
【０１８８】
上述のいずれかの実施例に基づき、好ましい実施態様として、前記プロセッサ１１３は、前記受信機１１１が前記トリガーシグナリングを受信してかつＭ個のサブフレームが経過した後、前記プロセッサ１１３が第１測定ウィンドウにおいて測定し得たＣＳＩを前記基地局に報告するように、送信機１１２をトリガーする。前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数である。
【０１８９】
好ましくは、前記プロセッサ１１３は、前記受信機１１１が前記トリガーシグナリングを受信してかつＭ個のサブフレームが経過した後、送信機１１２をトリガーして、以下のように動作する。一番近いＰＵＣＣＨリソースを介し、送信機１１２は、前記プロセッサ１１３が前記第１測定ウィンドウにおいて測定し得たＣＳＩを前記基地局に報告する。または、前記受信機１１１が前記トリガーシグナリングを受信した後からの第Ｍ番目のサブフレームにおいて、前記送信機１１２が、ＰＵＳＣＨリソースを介し、前記プロセッサ１１３が前記第１測定ウィンドウにおいて測定し得たＣＳＩを前記基地局に報告するように、前記送信機１１２をトリガーする。
【０１９０】
他の好ましい実施態様として、前記プロセッサ１１３は、第２測定ウィンドウが終了してかつＭ個のサブフレームが経過した後、送信機１１２が、前記プロセッサ１１３が前記第２測定ウィンドウにおいて測定し得たＣＳＩを、前記基地局に報告するように、前記送信機１１２をトリガーする。前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【０１９１】
または、前記受信機１１１が前記トリガーシグナリングを受信してかつＭ個のサブフレームが経過した後、前記送信機１１２が、前記プロセッサ１１３が第２測定ウィンドウにおいて測定し得たＣＳＩを、前記基地局に報告するように、前記送信機１１２をトリガーする。前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数である。
【０１９２】
好ましくは、前記プロセッサ１１３は、前記第２測定ウィンドウが終了してＭ個のサブフレームが経過した後、送信機１１２が、一番近いＰＵＣＣＨリソースを介し、前記プロセッサ１１３が前記第２測定ウィンドウにおいて測定し得たＣＳＩを、前記基地局に報告するように、送信機１１２をトリガーする。
【０１９３】
または、前記第２測定ウィンドウが終了後からの第Ｍ番目のサブフレームにおいて、送信機１１２が、ＰＵＳＣＨリソースを介し、前記プロセッサ１１３が前記第２測定ウィンドウにおいて測定し得たＣＳＩを、前記基地局に報告するように、送信機１１２をトリガーする。
【０１９４】
または、前記受信機１１１が前記トリガーシグナリングを受信してかつＭ個のサブフレームが経過した後、送信機１１２が、一番近いＰＵＣＣＨリソースを介し、前記プロセッサ１１３が前記第２測定ウィンドウにおいて測定し得たＣＳＩを、前記基地局に報告するように、送信機１１２をトリガーする。
【０１９５】
または、前記受信機１１１が前記トリガーシグナリングを受信した後からの第Ｍ番目のサブフレームにおいて、送信機１１２が、ＰＵＳＣＨリソースを介し、前記プロセッサ１１３が前記第２測定ウィンドウにおいて測定し得たＣＳＩを、前記基地局に送信するように、送信機１１２をトリガーする。
【０１９６】
以下、好ましいハードウェア構造を参照しながら、本発明に係る実施例により提供する基地局の構造及び処理方式を説明する。
【０１９７】
図１２的実施例において、基地局は、受信機１２１と、送信機１２２と、当該受信機１２１及び当該送信機１２２それぞれと接続する少なくとも１つのプロセッサ１２３とを備える。
【０１９８】
前記プロセッサ１２３は、メモリ１２４に格納されたプログラムを読み出して、送信機１２２が、前記ＵＥに、所定の測定ウィンドウにおいて得られたチャネル状態情報（ＣＳＩ）を報告させるように、ＵＥにトリガーシグナリングを送信する。
【０１９９】
前記受信機１２１は、前記ＵＥにより報告された、前記測定ウィンドウにおいて測定し得たＣＳＩを受信する。
【０２００】
図１２において、バスアーキテクチャは、いずれ数の相互接続するバス及びブリッジを備える。具体的に、プロセッサ１２３が代表となる１つまたは複数のプロセッサ及びメモリ１２４が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。受信機１２１送信機１２２は、伝送媒体を介して他の装置と通信するユニットを提供する。異なるユーザー設備に対し、ユーザーインターフェース８３０は、外部接続または内部接続に必要な設備のインターフェースであることもできる。プロセッサ１２３は、バスアーキテクチャ及び通常の処理を監視し、メモリ１２４は、プロセッサ１２３が動作する際に利用するデータを記憶することができる。
【０２０１】
本発明に係る実施例中、前記測定ウィンドウ長は予めに約定されたものである。
【０２０２】
または、前記測定ウィンドウ長は、前記基地局が高位層シグナリングにより前記ＵＥに通知されたものである。
【０２０３】
または、前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報である。
【０２０４】
さらに、前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数である。
【０２０５】
好ましくは、前記測定ウィンドウに含まれる連続のサブフレームの数はＮより小さいか等しい値であり、前記Ｎは、前記トリガーシグナリングを送信するサブフレームと前記ＵＥにより報告されたＣＳＩを受信するサブフレームの間に含まれる連続のサブフレームの数である。
【０２０６】
上述のいずれかの実施例に基づき、好ましい実施態様として、前記受信機１２１は、前記送信機１２２が前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数である。
【０２０７】
好ましくは、前記受信機１２１は、前記送信機１２２が前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信する。
【０２０８】
または、前記送信機１２２が前記トリガーシグナリングを送信した後からの第Ｍ番目のサブフレームにおいて、ＰＵＳＣＨリソースを介し、前記ＵＥにより報告された、前記第１測定ウィンドウにおいて測定し得たＣＳＩを受信する。
【０２０９】
他の好ましい実施態様として、前記受信機１２１は、
第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【０２１０】
または、前記送信機１２２が前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数である。
【０２１１】
好ましくは、前記受信機１２１は、前記第２測定ウィンドウが終了してＭ個のサブフレームが経過した後、一番近いＰＵＣＣＨリソースを介し、前記ＵＥにより報告された、前記第２測定ウィンドウにおいて測定し得たＣＳＩを受信する。
【０２１２】
または、前記第２測定ウィンドウが終了後からの第Ｍ番目のサブフレームにおいて、ＰＵＳＣＨリソースを介し、前記ＵＥにより報告された、前記第２測定ウィンドウにおいて測定し得たＣＳＩを受信する。
【０２１３】
または、前記送信機１２２が前記トリガーシグナリングを送信してかつＭ個のサブフレームが経過した後、一番近いＰＵＣＣＨリソースを介し、前記ＵＥにより報告された、前記第２測定ウィンドウにおいて測定し得たＣＳＩを受信する。
【０２１４】
または、前記送信機１２２が前記トリガーシグナリングを送信した後からの第Ｍ番目のサブフレームにおいて、ＰＵＳＣＨリソースを介し、前記ＵＥにより報告された、前記第２測定ウィンドウにおいて測定し得たＣＳＩを受信する。
【０２１５】
本領域の技術者として、本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである、又、本発明は一つ又は複数のコンピュータプログラム製品の形式を採用できる。当該製品は、コンピュータ使用可能なプログラムコードを含むコンピュータ利用可能な記憶メディア（ディスク記憶装置、ＣＤ-ＲＯＭ、光学記憶装置などを含むがそれとは限らない）において実施する。
【０２１６】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０２１７】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０２１８】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０２１９】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０２２０】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【０２２１】
本出願は、２０１５年７月２０日に中国特許局に提出し、出願番号が２０１５１０４２９０４９.３であり、発明名称が「チャネル状態情報のフィードバック及びその制御方法及び装置」との中国特許出願を基礎とする優先権を主張し、その開示の総てをここに取り込む。
【符号の説明】
【０２２２】
９１    受信モジュール
９２    処理モジュール
１０１  送信モジュール
１０２  受信モジュール
１１１  受信機
１１２  送信機
１１３  プロセッサ
１１４  メモリ
１１５  ユーザーインターフェース
１２１  受信機
１２２  送信機
１２３  プロセッサ
１２４  メモリ
８３０  ユーザーインターフェース
【図１Ａ】
2018522488.tif 000003
【図１Ｂ】
2018522488.tif 000004
【図２Ａ】
2018522488.tif 000005
【図２Ｂ】
2018522488.tif 000006
【図３】
2018522488.tif 000007
【図４】
2018522488.tif 000008
【図５】
2018522488.tif 000009
【図６】
2018522488.tif 000010
【図７】
2018522488.tif 000011
【図８】
2018522488.tif 000012
【図９】
2018522488.tif 000013
【図１０】
2018522488.tif 000014
【図１１】
2018522488.tif 000015
【図１２】
2018522488.tif 000016
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
ＵＥは基地局からトリガーシグナリングを受信するステップであって、前記トリガーシグナリングは、所定の測定ウィンドウにおいて得られたチャネル状態情報（ＣＳＩ）を報告するように前記ＵＥに指示するためのものである前記受信するステップと、
前記ＵＥは、自分が前記測定ウィンドウにおいて測定し得たＣＳＩを、前記基地局に報告するステップとを備えることを特徴とするチャネル状態情報のフィードバック方法。
【請求項２】
測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報であることを特徴とする請求項１に記載のチャネル状態情報のフィードバック方法。
【請求項３】
前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数であり、
前記測定ウィンドウに含まれる連続のサブフレームの数はＮより小さいか等しい値であり、前記Ｎは、前記ＵＥが前記トリガーシグナリングを受信したサブフレームと前記ＵＥがＣＳＩを報告したサブフレームの間に含まれる連続のサブフレームの数であることを特徴とする請求項２に記載のチャネル状態情報のフィードバック方法。
【請求項４】
前記ＵＥが前記測定ウィンドウにおいて測定し得たＣＳＩを前記基地局に報告するステップは、
前記ＵＥは、前記トリガーシグナリングを受信してＭ個のサブフレームが経過した後、第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数であることを特徴とする請求項１ないし請求項３のいずれかに記載のチャネル状態情報のフィードバック方法。
【請求項５】
前記ＵＥは、前記トリガーシグナリングを受信してＭ個のサブフレームが経過した後、一番近い物理アップリンク制御チャネル（ＰＵＣＣＨ）リソースを介し、前記第１測定ウィンドウにおいて測定し得たＣＳＩを前記基地局に報告し、
または、
前記ＵＥは、前記トリガーシグナリングを受信した後からの第Ｍ番目のサブフレームにおいて、物理アップリンク共有チャネルＰＵＳＣＨリソースを介し、前記第１測定ウィンドウにおいて測定し得たＣＳＩを前記基地局に報告することを特徴とする請求項４に記載のチャネル状態情報のフィードバック方法。
【請求項６】
前記ＵＥが自分が前記測定ウィンドウにおいて測定し得たＣＳＩを、前記基地局に報告するステップは、
前記ＵＥは、第２測定ウィンドウが終了しかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、
前記ＵＥは、前記トリガーシグナリングを受信してＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であることを特徴とする請求項１ないし請求項３のいずれかに記載のチャネル状態情報のフィードバック方法。
【請求項７】
基地局は、ＵＥに所定の測定ウィンドウにおいて得られたチャネル状態情報（ＣＳＩ）を報告させるように、前記ＵＥにトリガーシグナリングを送信し、
前記基地局は、前記ＵＥが報告した、前記測定ウィンドウにおいて測定し得たＣＳＩを受信することを特徴とするチャネル状態情報のフィードバック制御方法。
【請求項８】
測定ウィンドウ長は予めに約定されたものであるか、または、
前記測定ウィンドウ長は、前記基地局が高位層シグナリングにより前記ＵＥに通知されたものであるか、または、
前記トリガーシグナリングには前記測定ウィンドウ長と関連する情報が含まれ、前記測定ウィンドウ長と関連する情報は、前記測定ウィンドウ長であるか、または、前記測定ウィンドウ長が予め約定された固定長や、高位層シグナリングにより指示された長であることを示す指示情報であることを特徴とする請求項７に記載のチャネル状態情報のフィードバック制御方法。
【請求項９】
前記測定ウィンドウ長は、前記測定ウィンドウにおけるＣＳＩ測定用のサブフレームの数であるか、または、前記測定ウィンドウ長は、前記測定ウィンドウに含まれる連続のサブフレームの数であり、
前記測定ウィンドウに含まれる連続のサブフレームの数はＮより小さいか等しい値であり、前記Ｎは、前記基地局が前記トリガーシグナリングを送信するサブフレームと前記基地局が前記ＵＥにより報告されたＣＳＩを受信したサブフレームの間に含まれる連続のサブフレームの数であることを特徴とする請求項８に記載のチャネル状態情報のフィードバック制御方法。
【請求項１０】
前記基地局が前記ＵＥが報告した、前記測定ウィンドウにおいて測定し得たＣＳＩを受信するステップは、
前記基地局は、前記トリガーシグナリングを送信してかつＭ個のサブフレームが経過した後、前記ＵＥにより報告された、第１測定ウィンドウにおいて測定し得たＣＳＩを受信し、前記第１測定ウィンドウは、前記トリガーシグナリングを送信する前、かつ前記トリガーシグナリングを送信するサブフレームと一番近い前記測定ウィンドウのうちの１つであり、Ｍは０より大きいか等しい整数であることを特徴とする請求項７ないし請求項９のいずれかに記載のチャネル状態情報のフィードバック制御方法。
【請求項１１】
前記基地局は、前記トリガーシグナリングを送信してかつＭ個のサブフレームが経過した後、一番近いＰＵＣＣＨリソースを介し、前記ＵＥにより報告された、前記第１測定ウィンドウにおいて測定し得たＣＳＩを受信し、または、
前記基地局は、前記トリガーシグナリングを送信した後からの第Ｍ番目のサブフレームにおいて、ＰＵＳＣＨリソースを介し、前記ＵＥにより報告された、前記第１測定ウィンドウにおいて測定し得たＣＳＩを受信することを特徴とする請求項１０に記載のチャネル状態情報のフィードバック制御方法。
【請求項１２】
前記基地局が前記ＵＥが報告した、前記測定ウィンドウにおいて測定し得たＣＳＩを受信するステップは、
前記基地局は、第２測定ウィンドウが終了してかつＭ個のサブフレームが経過した後、前記ＵＥにより報告された前記第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であるか、
または、
前記基地局は、前記トリガーシグナリングを送信してかつＭ個のサブフレームが経過した後、前記ＵＥにより報告された、第２測定ウィンドウにおいて測定し得たＣＳＩを受信し、前記第２測定ウィンドウは、前記トリガーシグナリングを送信した後かつ前記トリガーシグナリングを送信するサブフレームと一番近い前記測定ウィンドウのうちの１つであり、Ｍは０より大きいか等しい整数であることを特徴とする請求項７ないし請求項９のいずれかに記載のチャネル状態情報のフィードバック制御方法。
【請求項１３】
基地局からトリガーシグナリングを受信する受信モジュールであって、前記トリガーシグナリングは、所定の測定ウィンドウにおいて得られたチャネル状態情報（ＣＳＩ）を報告するように、装置に指示するためのものである前記受信モジュールと、
自分が前記測定ウィンドウにおいて測定し得たＣＳＩを前記基地局に送信する処理モジュールとを備えることを特徴とするチャネル状態情報のフィードバック装置。
【請求項１４】
前記処理モジュールは、前記受信モジュールが前記トリガーシグナリングを受信してかつＭ個のサブフレームが経過した後、自分が第１測定ウィンドウにおいて測定し得たＣＳＩを前記基地局に報告し、前記第１測定ウィンドウは、前記トリガーシグナリングを受信する前に、前記トリガーシグナリングを受信したサブフレームと一番近い前記測定ウィンドウのうちの１つであり、Ｍは０より大きいか等しい整数であることを特徴とする請求項１３に記載のチャネル状態情報のフィードバック装置。
【請求項１５】
前記処理モジュールは、前記受信モジュールが前記トリガーシグナリングを受信してかつＭ個のサブフレームが経過した後、一番近いＰＵＣＣＨリソースを介し、自分が前記第１測定ウィンドウにおいて測定し得たＣＳＩを前記基地局に報告し、または、前記受信モジュールが前記トリガーシグナリングを受信した後からの第Ｍ番目のサブフレームにおいて、ＰＵＳＣＨリソースを介し、自分が前記第１測定ウィンドウにおいて測定し得たＣＳＩを前記基地局に報告することを特徴とする請求項１４に記載のチャネル状態情報のフィードバック装置。
【請求項１６】
前記処理モジュールは、
第２測定ウィンドウが終了してかつＭ個のサブフレームが経過した後、自分が前記第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であり、
または、
前記受信モジュールが前記トリガーシグナリングを受信してかつＭ個のサブフレームが経過した後、自分が第２測定ウィンドウにおいて測定し得たＣＳＩを前記基地局に報告し、前記第２測定ウィンドウは、前記トリガーシグナリングを受信した後かつ前記トリガーシグナリングを受信したサブフレームと一番近い前記測定ウィンドウのうちの１つであり、Ｍは０より大きいか等しい整数であることを特徴とする請求項１３に記載のチャネル状態情報のフィードバック装置。
【国際調査報告】
2018522488.tif 000017
2018522488.tif 000018
2018522488.tif 000019
2018522488.tif 000020